(57)【要約】【課題】第１表示部と第１照明部との間の距離と第２表示部と第１照明部との間の距離との変動を抑制する。【解決手段】シフトノブ１０では、インジケータ１８の表示面２０において、中表示部２０Ｂが上表示部２０Ａに対し下側に曲がっている。ここで、ランプシェイド２８では、中案内部３０Ｂが上案内部３０Ａに対し下側に曲がると共に、フレキシブル基板４４では、中照明部４６Ｂが上照明部４６Ａに対し下側に曲げられている。このため、上表示部２０Ａと上照明部４６Ａとの間の距離と中表示部２０Ｂと中照明部４６Ｂとの間の距離とが変動することを抑制できる。【選択図】図２
2020147149.tif 000002
【特許請求の範囲】
【請求項１】
第１表示部及び第２表示部が設けられる表示面が設けられ、前記第１表示部が前記第２表示部に対し一側に曲がる表示体と、
前記表示体の前記第１表示部とは反対側に配置される第１案内部及び前記表示体の前記第２表示部とは反対側に配置される第２案内部が設けられ、前記第１案内部が前記第２案内部に対し一側に曲がる案内体と、
前記案内体の前記表示体とは反対側に配置されると共に、前記第１案内部に案内されて前記第１表示部を照明する第１照明部及び前記第２案内部に案内されて前記第２表示部を照明する第２照明部が設けられ、弾性変形されて前記第１照明部が前記第２照明部に対し一側に曲げられる照明体と、
を備える車両用表示装置。
【請求項２】
前記照明体が弾性力により前記案内体に保持される請求項１記載の車両用表示装置。
【請求項３】
前記照明体が前記案内体に位置決めされる請求項２記載の車両用表示装置。
【請求項４】
前記照明体に設けられ、前記照明体の弾性変形を制限する制限部を備える請求項１〜請求項３の何れか１項記載の車両用表示装置。
【発明の詳細な説明】
【技術分野】
【０００１】
本発明は、表示体の表示面を照明する車両用表示装置に関する。
【背景技術】
【０００２】
下記特許文献１に記載の操作装置では、アッパレンズの裏面に表示ユニットの表面が対向されると共に、表示ユニットの表面に複数の表示セグメントが設けられており、アッパレンズの表面を各表示セグメントが照明する。
【０００３】
ここで、この操作装置では、アッパレンズの表面が凹状に湾曲される一方、表示ユニットの表面が平面状にされており、アッパレンズの表面と各表示セグメントとの間の距離が変動している。
【先行技術文献】
【特許文献】
【０００４】
【特許文献１】特開２０１１−６５４６８号公報
【発明の概要】
【発明が解決しようとする課題】
【０００５】
本発明は、上記事実を考慮し、第１表示部と第１照明部との間の距離と第２表示部と第１照明部との間の距離との変動を抑制できる車両用表示装置を得ることが目的である。
【課題を解決するための手段】
【０００６】
本発明の第１態様の車両用表示装置は、第１表示部及び第２表示部が設けられる表示面が設けられ、前記第１表示部が前記第２表示部に対し一側に曲がる表示体と、前記表示体の前記第１表示部とは反対側に配置される第１案内部及び前記表示体の前記第２表示部とは反対側に配置される第２案内部が設けられ、前記第１案内部が前記第２案内部に対し一側に曲がる案内体と、前記案内体の前記表示体とは反対側に配置されると共に、前記第１案内部に案内されて前記第１表示部を照明する第１照明部及び前記第２案内部に案内されて前記第２表示部を照明する第２照明部が設けられ、弾性変形されて前記第１照明部が前記第２照明部に対し一側に曲げられる照明体と、を備える。
【０００７】
本発明の第２態様の車両用表示装置は、本発明の第１態様の車両用表示装置において、前記照明体が弾性力により前記案内体に保持される。
【０００８】
本発明の第３態様の車両用表示装置は、本発明の第２態様の車両用表示装置において、前記照明体が前記案内体に位置決めされる。
【０００９】
本発明の第４態様の車両用表示装置は、本発明の第１態様〜第３態様の何れか１つの車両用表示装置において、前記照明体に設けられ、前記照明体の弾性変形を制限する制限部を備える。
【発明の効果】
【００１０】
本発明の第１態様の車両用表示装置では、表示体の表示面に第１表示部及び第２表示部が設けられており、第１表示部が第２表示部に対し一側に曲がっている。また、案内体に第１案内部及び第２案内部が設けられており、第１案内部が表示体の第１表示部とは反対側に配置されると共に、第２案内部が表示体の第２表示部とは反対側に配置される。さらに、案内体の表示体とは反対側に照明体が配置されると共に、照明体に第１照明部及び第２照明部が設けられており、第１照明部が第１案内部に案内されて第１表示部を照明すると共に、第２照明部が第２案内部に案内されて第２表示部を照明する。
【００１１】
ここで、案内体において第１案内部が第２案内部に対し一側に曲がると共に、照明体が弾性変形されて第１照明部が第２照明部に対し一側に曲げられる。このため、第１表示部と第１照明部との間の距離と第２表示部と第１照明部との間の距離とが変動することを抑制できる。
【００１２】
本発明の第２態様の車両用表示装置では、照明体が弾性力により案内体に保持される。このため、照明体を容易に組付けることができる。
【００１３】
本発明の第３態様の車両用表示装置では、照明体が案内体に位置決めされる。このため、照明体を案内体に適切に保持できる。
【００１４】
本発明の第４態様の車両用表示装置では、照明体の制限部が照明体の弾性変形を制限する。このため、照明体の弾性変形を制限部が調整できる。
【図面の簡単な説明】
【００１５】
【図１】本発明の実施形態に係るシフトノブを示す左斜め後方から見た分解斜視図である。
【図２】本発明の実施形態に係るシフトノブを示す左方から見た断面図である。
【図３】（Ａ）及び（Ｂ）は、本発明の実施形態に係るシフトノブのランプシェイド及びフレキシブル基板を示す図であり、（Ａ）は、左斜め後方から見た斜視図であり、（Ｂ）は、左斜め前方から見た斜視図である。
【図４】（Ａ）は、本発明の実施形態に係るシフトノブのランプシェイドを示す左斜め前方から見た斜視図であり、（Ｂ）は、本発明の実施形態に係るシフトノブのフレキシブル基板を示す左斜め前方から見た斜視図である。
【発明を実施するための形態】
【００１６】
図１には、本発明の実施形態に係るシフトインジケータ（車両用表示装置）としてのシフトノブ１０が左斜め後方から見た分解斜視図にて示されており、図２には、シフトノブ１０が左方から見た断面図にて示されている。なお、図面では、シフトノブ１０の前方を矢印ＦＲで示し、シフトノブ１０の左方を矢印ＬＨで示し、シフトノブ１０の上方を矢印ＵＰで示す。
【００１７】
本実施形態に係るシフトノブ１０は、シフト装置としてのシフトレバー装置（図示省略）に設けられており、シフトレバー装置は、コンソール（図示省略）に設置されている。シフトレバー装置には、シフト体としての略棒状のシフトレバー（図示省略）が設けられており、シフトレバーは、車両下側端部（基端部）を中心として、車両前後方向（シフト方向）及び車両左右方向（セレクト方向）に回動（移動）可能にされている。
【００１８】
シフトレバーは、車両前側から車両後側に回動操作されて、シフト位置としての「Ｐ」位置（パーキング位置）、「Ｒ」位置（リバース位置）、「Ｎ」位置（ニュートラル位置）、「Ｄ」位置（ドライブ位置）にこの順番で配置される。さらに、シフトレバーは、「Ｄ」位置から右側（運転席側）に回動操作されて、シフト位置としての「Ｍ」位置（マニュアル位置）に配置される。
【００１９】
シフトレバー装置には、検出装置１２（図１参照）が設けられており、検出装置１２は、シフトレバーのシフト位置を検出する。
【００２０】
本実施形態に係るシフトノブ１０は、シフトレバーの車両上側端部（先端部）に設置（固定）されており、シフトノブ１０の前方、左方及び上方は、それぞれ車両の前側、左側及び上側に向けられている。また、車両の乗員（特に運転手）によって、シフトノブ１０が把持されて、シフトレバーが回動操作される。
【００２１】
図１及び図２に示す如く、シフトノブ１０には、収容体としての樹脂製で略長球形箱状の筐体１４が設けられており、筐体１４の上面から後面は、開口されている。筐体１４内の前面の上部及び下部は、前後方向に垂直に配置されると共に、筐体１４内の前面の上下方向中間部は、後方へ向かうに従い下方へ向かう方向に傾斜されており、筐体１４内の前面の下部は、筐体１４内の前面の上部に対し後側に配置されている。
【００２２】
筐体１４内の前面の上下方向中間部には、左部及び右部において、支持部としての台形板状の支持台１６が一体形成されており、支持台１６は、左右方向に垂直に配置されると共に、後方へ向かうに従い下方へ向かう方向に延伸されている。支持台１６の表面（後側面）は、左右方向に平行に配置されると共に、後方へ向かうに従い下方へ向かう方向に傾斜されている。支持台１６の表面の上部、上下方向中間部及び下部は、それぞれ、第１支持面及び第２支持面の一方としての上支持面１６Ａ、第１支持面及び第２支持面の他方としての中支持面１６Ｂ及び第１支持面及び第２支持面の一方としての下支持面１６Ｃにされており、中支持面１６Ｂは、上支持面１６Ａに比し下側への傾斜角度が大きくされる（上支持面１６Ａに対し下側に曲がる）と共に、下支持面１６Ｃは、中支持面１６Ｂに比し下側への傾斜角度が大きくされている（中支持面１６Ｂに対し下側に曲がっている）。
【００２３】
筐体１４内の前面の上下方向中間部には、左端部及び右端部の上部及び下部において、Ｕ字形枠状の挿入枠１４Ａが一体形成されており、挿入枠１４Ａは、両端部が筐体１４内の前面と一体にされると共、内部が左右方向に開放されている。筐体１４内の前面の上部には、左右方向中央部において、三角形板状の規制板１４Ｂが一体形成されており、規制板１４Ｂは、後側に突出される共に、左右方向に垂直に配置されている。筐体１４内の左面及び右面には、上下方向中間部において、矩形板状の嵌合板１４Ｃが一対一体形成されており、各対の嵌合板１４Ｃは、それぞれ筐体１４の左右方向内側に突出される共に、後方へ向かうに従い下方へ向かう傾斜方向において対向されている。
【００２４】
筐体１４の下壁には、挿通孔１４Ｄが形成されており、挿通孔１４Ｄは、上下方向に延伸されて、筐体１４内と筐体１４の下側とを連通している。
【００２５】
筐体１４の上面から後面の開口は、表示体としての湾曲板状のインジケータ１８によって閉塞されている。インジケータ１８の表面（後側面）は、上下方向及び左右方向において、凸状に湾曲されており、インジケータ１８の裏面（前側面）は、上下方向においてインジケータ１８の表面に略沿って凹状に湾曲されると共に、左右方向に平行に配置されている。
【００２６】
インジケータ１８の表面は、表示面２０（意匠面）にされており、表示面２０は、後方へ向かうに従い下方へ向かう方向に湾曲傾斜されている。表示面２０の上部、上下方向中間部及び下部には、第１表示部及び第２表示部の一方としての上表示部２０Ａ、第１表示部及び第２表示部の他方としての中表示部２０Ｂ及び第１表示部及び第２表示部の一方としての下表示部２０Ｃが設けられており、中表示部２０Ｂは、上表示部２０Ａに比し下側への傾斜角度が大きくされる（上表示部２０Ａに対し下側に曲がる）と共に、下表示部２０Ｃは、中表示部２０Ｂに比し下側への傾斜角度が大きくされている（中表示部２０Ｂに対し下側に曲がっている）。また、上表示部２０Ａ、中表示部２０Ｂ及び下表示部２０Ｃは、それぞれ筐体１４における支持台１６の上支持面１６Ａ、中支持面１６Ｂ及び下支持面１６Ｃと略平行に配置されており、上支持面１６Ａ、中支持面１６Ｂ及び下支持面１６Ｃは、それぞれ上表示部２０Ａ、中表示部２０Ｂ及び下表示部２０Ｃに略沿って配置されている。
【００２７】
表示面２０の左側部分には、上側から下側に向けて、「Ｐ」表示２２Ａ、「Ｒ」表示２２Ｂ、「Ｎ」表示２４Ａ、「Ｄ」表示２６Ａ、矩形状の「Ｄ」配置表示２６Ｂがこの順番で設けられており、「Ｐ」表示２２Ａ及び「Ｒ」表示２２Ｂは、上表示部２０Ａに設けられる上表示２２にされ、「Ｎ」表示２４Ａは、中表示部２０Ｂに設けられる中表示２４にされ、「Ｄ」表示２６Ａ及び「Ｄ」配置表示２６Ｂは、下表示部２０Ｃに設けられる下表示２６にされている。表示面２０の右側部分には、上側から下側に向けて、矩形状の「Ｐ」配置表示２２Ｃ、矩形状の「Ｒ」配置表示２２Ｄ、矩形状の「Ｎ」配置表示２４Ｂ、「Ｍ」表示２６Ｃ、矩形状の「Ｍ」配置表示２６Ｄがこの順番で設けられており、「Ｐ」配置表示２２Ｃ及び「Ｒ」配置表示２２Ｄは、上表示部２０Ａに設けられる上表示２２にされてそれぞれ「Ｐ」表示２２Ａ及び「Ｒ」表示２２Ｂの右側に配置され、「Ｎ」配置表示２４Ｂは、中表示部２０Ｂに設けられる中表示２４にされて「Ｎ」表示２４Ａの右側に配置され、「Ｍ」表示２６Ｃ及び「Ｍ」配置表示２６Ｄは、下表示部２０Ｃに設けられる下表示２６にされてそれぞれ「Ｄ」表示２６Ａ及び「Ｄ」配置表示２６Ｂの右側に配置されている。「Ｐ」表示２２Ａ、「Ｒ」表示２２Ｂ、「Ｎ」表示２４Ａ、「Ｄ」表示２６Ａ、「Ｄ」配置表示２６Ｂ、「Ｐ」配置表示２２Ｃ、「Ｒ」配置表示２２Ｄ、「Ｎ」配置表示２４Ｂ、「Ｍ」表示２６Ｃ及び「Ｍ」配置表示２６Ｄは、インジケータ１８を裏側から透過する光をインジケータ１８の表側に透過可能にされている。
【００２８】
筐体１４内には、案内体としての樹脂製で外形略矩形枠状のランプシェイド２８（図３（Ａ）及び図４（Ａ）参照）が収容されており、ランプシェイド２８の壁部は、光を透過不能にされている。ランプシェイド２８の左面及び右面には、上部及び下部において、略三角柱状の挿入突起２８Ａが一体形成されており、筐体１４の挿入枠１４Ａの一時的な弾性変形により挿入突起２８Ａが挿入枠１４Ａ内に挿入されて、ランプシェイド２８の筐体１４からの離脱が制限されている。
【００２９】
ランプシェイド２８の上面には、左右方向中央部において、略矩形柱状の規制柱２８Ｂが一対一体形成されており、一対の規制柱２８Ｂは、それぞれ前側に突出されると共に、左右方向において対向されている。一対の規制柱２８Ｂ間には、筐体１４の規制板１４Ｂが嵌合されており、これにより、ランプシェイド２８の左右方向への移動が規制されて、ランプシェイド２８が筐体１４に左右方向において位置決めされている。
【００３０】
ランプシェイド２８の左面及び右面には、上下方向中央部において、略矩形柱状の嵌合柱２８Ｃが一体形成されており、嵌合柱２８Ｃは、ランプシェイド２８の左右方向外側に突出されている。嵌合柱２８Ｃは、筐体１４の一対の嵌合板１４Ｃ間に嵌合されており、これにより、ランプシェイド２８の上下方向への移動が規制されて、ランプシェイド２８が筐体１４に上下方向において位置決めされている。
【００３１】
ランプシェイド２８の表面（後側面）は、上下方向においてインジケータ１８の裏面に沿って凸状に湾曲されると共に、左右方向に平行に配置されており、ランプシェイド２８の表面は、インジケータ１８の裏面に嵌合されている。ランプシェイド２８の上部、上下方向中間部及び下部には、第１案内部及び第２案内部の一方としての上案内部３０Ａ、第１案内部及び第２案内部の他方としての中案内部３０Ｂ及び第１案内部及び第２案内部の一方としての下案内部３０Ｃが設けられており、上案内部３０Ａ、中案内部３０Ｂ及び下案内部３０Ｃの裏面（前側面）は、それぞれ、後方へ向かうに従い下方へ向かう方向に傾斜されると共に、左右方向に平行に配置されている。
【００３２】
ランプシェイド２８の表面は、後方へ向かうに従い下方へ向かう方向に湾曲傾斜されている。さらに、中案内部３０Ｂの裏面は、上案内部３０Ａの裏面に比し下側への傾斜角度が大きくされる（上案内部３０Ａの裏面に対し下側に曲がる）と共に、下案内部３０Ｃの裏面は、中案内部３０Ｂの裏面に比し下側への傾斜角度が大きくされている（中案内部３０Ｂの裏面に対し下側に曲がっている）。このため、中案内部３０Ｂは、上案内部３０Ａに比し下側への傾斜角度が大きくされる（上案内部３０Ａに対し下側に曲がる）と共に、下案内部３０Ｃは、中案内部３０Ｂに比し下側への傾斜角度が大きくされている（中案内部３０Ｂに対し下側に曲がっている）。上案内部３０Ａ、中案内部３０Ｂ及び下案内部３０Ｃの裏面は、それぞれ筐体１４における支持台１６の上支持面１６Ａ、中支持面１６Ｂ及び下支持面１６Ｃと対向されており、上案内部３０Ａ、中案内部３０Ｂ及び下案内部３０Ｃの裏面は、それぞれ上支持面１６Ａ、中支持面１６Ｂ及び下支持面１６Ｃと平行に配置されている。
【００３３】
ランプシェイド２８の左側部分には、上側から下側に向けて、それぞれ矩形状の「Ｐ」孔３２Ａ、「Ｒ」孔３２Ｂ、「Ｎ」孔３４Ａ、「Ｄ」配置孔３６Ａがこの順番で貫通形成されており、「Ｐ」孔３２Ａ及び「Ｒ」孔３２Ｂは、上案内部３０Ａに設けられる上孔３２にされ、「Ｎ」孔３４Ａは、中案内部３０Ｂに設けられる中孔３４にされ、「Ｄ」配置孔３６Ａは、下案内部３０Ｃに設けられる下孔３６にされている。ランプシェイド２８の右側部分には、上側から下側に向けて、それぞれ矩形状の「Ｐ」配置孔３２Ｃ、「Ｒ」配置孔３２Ｄ、「Ｎ」配置孔３４Ｂ、「Ｍ」配置孔３６Ｂがこの順番で貫通形成されており、「Ｐ」配置孔３２Ｃ及び「Ｒ」配置孔３２Ｄは、上案内部３０Ａに設けられる上孔３２にされてそれぞれ「Ｐ」孔３２Ａ及び「Ｒ」孔３２Ｂの右側に配置され、「Ｎ」配置孔３４Ｂは、中案内部３０Ｂに設けられる中孔３４にされて「Ｎ」孔３４Ａの右側に配置され、「Ｍ」配置孔３６Ｂは、下案内部３０Ｃに設けられる下孔３６にされて「Ｄ」配置孔３６Ａの右側に配置されている。表示面２０の左側部分から右側部分には、長尺矩形状の連絡孔３６Ｃが貫通形成されており、連絡孔３６Ｃは、下案内部３０Ｃに設けられる下孔３６にされて「Ｎ」孔３４Ａ及び「Ｎ」配置孔３４Ｂと「Ｄ」配置孔３６Ａ及び「Ｍ」配置孔３６Ｂとの間に配置されている。「Ｐ」孔３２Ａ、「Ｒ」孔３２Ｂ、「Ｎ」孔３４Ａ、「Ｄ」配置孔３６Ａ、「Ｐ」配置孔３２Ｃ、「Ｒ」配置孔３２Ｄ、「Ｎ」配置孔３４Ｂ、「Ｍ」配置孔３６Ｂは、それぞれインジケータ１８の「Ｐ」表示２２Ａ、「Ｒ」表示２２Ｂ、「Ｎ」表示２４Ａ、「Ｄ」配置表示２６Ｂ、「Ｐ」配置表示２２Ｃ、「Ｒ」配置表示２２Ｄ、「Ｎ」配置表示２４Ｂ、「Ｍ」配置表示２６Ｄに向けて開口されると共に、連絡孔３６Ｃは、インジケータ１８の「Ｄ」表示２６Ａ及び「Ｍ」表示２６Ｃに向けて開口されている。
【００３４】
ランプシェイド２８（上案内部３０Ａ）の裏面には、上端部の左右方向中央において、保持部としての略矩形柱状の上係合柱３８が一体形成されており、上係合柱３８は、前側に突出されている。上係合柱３８の左面には、略三角柱状の上リブ３８Ａが一体形成されており、上リブ３８Ａは、左側に突出されている。
【００３５】
ランプシェイド２８（下案内部３０Ｃ）の裏面には、下端部の左右方向中央において、保持部としての略矩形柱状の下係合柱４０が一体形成されており、下係合柱４０は、前側に突出されている。下係合柱４０の左面及び右面には、略三角柱状の下リブ４０Ａが一体形成されており、下リブ４０Ａは、左側と右側とに突出されている。
【００３６】
ランプシェイド２８（中案内部３０Ｂ）の裏面には、左端部及び右端部の上下方向中央において、それぞれ位置決め部としての略矩形柱状の中係合柱４２が一対一体形成されており、各対の中係合柱４２は、それぞれ前方へ向かうに従い下方へ向かう方向に突出されると共に、後方へ向かうに従い下方へ向かう傾斜方向において対向されている。各上側の中係合柱４２の下側面には、略三角柱状の中リブ４２Ａが一体形成されており、中リブ４２Ａは、後方へ向かうに従い下方へ向かう方向に突出されている。
【００３７】
ランプシェイド２８の裏側には、照明体としての略矩形フィルム状のフレキシブル基板４４（図３の（Ａ）及び（Ｂ）、図４（Ｂ）参照）が設けられており、フレキシブル基板４４は、例えば所謂ＦＰＣ（Flexible Printed Circuits）にされて、可撓性（弾性）を有している。フレキシブル基板４４の上端及び下端の左右方向中央部には、それぞれ矩形板状の上突出板４４Ａ及び下突出板４４Ｂが一体形成されており、上突出板４４Ａは、フレキシブル基板４４から上側に突出されると共に、下突出板４４Ｂは、フレキシブル基板４４から下側に突出されている。フレキシブル基板４４の左端及び右端の上下方向中央部には、それぞれ被位置決め部として矩形板状の中突出板４４Ｃが一体形成されており、中突出板４４Ｃは、フレキシブル基板４４の左右方向外側に突出されている。
【００３８】
フレキシブル基板４４の上部、上下方向中間部及び下部は、第１照明部及び第２照明部の一方としての上照明部４６Ａ、第１照明部及び第２照明部の他方としての中照明部４６Ｂ及び第１照明部及び第２照明部の一方としての下照明部４６Ｃにされている。上照明部４６Ａの裏面（前側面）には、制限部としての略矩形板状の上補強板４８Ａが固定されており、上補強板４８Ａは、上照明部４６Ａ（上突出板４４Ａを含む）の裏面全体を被覆して、上照明部４６Ａの全体の弾性変形を制限している。中照明部４６Ｂの裏面（前側面）には、制限部としての略矩形板状の中補強板４８Ｂが固定されており、中補強板４８Ｂは、中照明部４６Ｂ（一対の中突出板４４Ｃを含む）の裏面の上端部及び下端部を除く部分を被覆して、中照明部４６Ｂの上端部及び下端部を除く部分の弾性変形を制限している。下照明部４６Ｃの裏面（前側面）には、制限部としての略矩形板状の下補強板４８Ｃが固定されており、下補強板４８Ｃは、下照明部４６Ｃ（下突出板４４Ｂを含む）の裏面全体を被覆して、下照明部４６Ｃの全体の弾性変形を制限している。このため、フレキシブル基板４４は、中照明部４６Ｂの上端部及び下端部において、弾性変形可能にされている。
【００３９】
フレキシブル基板４４の上突出板４４Ａの左右方向中央部には、被保持部としての矩形状の上係合孔４４Ｄが形成されており、上係合孔４４Ｄは、上突出板４４Ａ（上補強板４８Ａを含む）を貫通している。フレキシブル基板４４の下突出板４４Ｂの左右方向中央部には、被保持部としての矩形状の下係合孔４４Ｅが形成されており、下係合孔４４Ｅは、下突出板４４Ｂ（下補強板４８Ｃを含む）を貫通している。
【００４０】
フレキシブル基板４４の中突出板４４Ｃ（中補強板４８Ｂを含む）は、ランプシェイド２８の一対の中係合柱４２間に挿入されており、中突出板４４Ｃの周面が上側の中係合柱４２の中リブ４２Ａを潰して、中突出板４４Ｃの上下方向への移動が規制されている。中突出板４４Ｃは、ランプシェイド２８の嵌合柱２８Ｃの裏側を被覆しており、中突出板４４Ｃは、筐体１４の一対の嵌合板１４Ｃ間に嵌合柱２８Ｃと共に嵌合されている。
【００４１】
フレキシブル基板４４の上係合孔４４Ｄには、ランプシェイド２８の上係合柱３８が挿入されており、上係合孔４４Ｄの周面が上係合柱３８の上リブ３８Ａを潰して、上係合孔４４Ｄの上係合柱３８に対する左右方向への移動が規制されている。フレキシブル基板４４の下係合孔４４Ｅには、ランプシェイド２８の下係合柱４０が挿入されており、下係合孔４４Ｅの周面が下係合柱４０の各下リブ４０Ａを潰して、下係合孔４４Ｅの下係合柱４０に対する左右方向への移動が規制されている。また、上係合孔４４Ｄは、上係合柱３８に比し上下方向（幅方向）寸法が大きくされており、下係合孔４４Ｅは、下係合柱４０に比し上下方向（幅方向）寸法が大きくされている。
【００４２】
フレキシブル基板４４は、筐体１４の一対の支持台１６とランプシェイド２８との間に挟まれて、中照明部４６Ｂの上端部及び下端部において弾性変形されており、フレキシブル基板４４の上照明部４６Ａ、中照明部４６Ｂ及び下照明部４６Ｃは、それぞれ支持台１６の上支持面１６Ａとランプシェイド２８の上案内部３０Ａ裏面との間、支持台１６の中支持面１６Ｂとランプシェイド２８の中案内部３０Ｂ裏面との間及び支持台１６の下支持面１６Ｃとランプシェイド２８の下案内部３０Ｃ裏面との間に配置されている。このため、上照明部４６Ａは、上支持面１６Ａ及び上案内部３０Ａ裏面と平行に配置され、中照明部４６Ｂは、中支持面１６Ｂ及び中案内部３０Ｂ裏面と平行に配置され、下照明部４６Ｃは、下支持面１６Ｃ及び中案内部３０Ｂ裏面と平行に配置されている。さらに、上照明部４６Ａ、中照明部４６Ｂ及び下照明部４６Ｃは、それぞれ、後方へ向かうに従い下方へ向かう方向に傾斜されると共に、左右方向に平行に配置されており、中照明部４６Ｂは、上照明部４６Ａに比し下側への傾斜角度が大きくされる（上照明部４６Ａに対し下側に曲がる）と共に、下照明部４６Ｃは、中照明部４６Ｂに比し下側への傾斜角度が大きくされている（中照明部４６Ｂに対し下側に曲がっている）。
【００４３】
フレキシブル基板４４の表面（後側面）の左側部分には、上側から下側に向けて、「Ｐ」ＬＥＤ５０Ａ、「Ｒ」ＬＥＤ５０Ｂ、「Ｎ」ＬＥＤ５２Ａ、「Ｄ」ＬＥＤ５４Ａ、「Ｄ」配置ＬＥＤ５４Ｂがこの順番で設けられており、「Ｐ」ＬＥＤ５０Ａ及び「Ｒ」ＬＥＤ５０Ｂは、上照明部４６Ａに設けられる上照明５０にされ、「Ｎ」ＬＥＤ５２Ａは、中照明部４６Ｂに設けられる中照明５２にされ、「Ｄ」ＬＥＤ５４Ａ及び「Ｄ」配置ＬＥＤ５４Ｂは、下照明部４６Ｃに設けられる下照明５４にされている。フレキシブル基板４４の表面の右側部分には、上側から下側に向けて、「Ｐ」配置ＬＥＤ５０Ｃ、「Ｒ」配置ＬＥＤ５０Ｄ、「Ｎ」配置ＬＥＤ５２Ｂ、「Ｍ」ＬＥＤ５４Ｃ、「Ｍ」配置ＬＥＤ５４Ｄがこの順番で設けられており、「Ｐ」配置ＬＥＤ５０Ｃ及び「Ｒ」配置ＬＥＤ５０Ｄは、上照明部４６Ａに設けられる上照明５０にされてそれぞれ「Ｐ」ＬＥＤ５０Ａ及び「Ｒ」ＬＥＤ５０Ｂの右側に配置され、「Ｎ」配置ＬＥＤ５２Ｂは、中照明部４６Ｂに設けられる中照明５２にされて「Ｎ」ＬＥＤ５２Ａの右側に配置され、「Ｍ」ＬＥＤ５４Ｃ及び「Ｍ」配置ＬＥＤ５４Ｄは、下照明部４６Ｃに設けられる下照明５４にされてそれぞれ「Ｄ」ＬＥＤ５４Ａ及び「Ｄ」配置ＬＥＤ５４Ｂの右側に配置されている。
【００４４】
「Ｐ」ＬＥＤ５０Ａ、「Ｒ」ＬＥＤ５０Ｂ、「Ｎ」ＬＥＤ５２Ａ、「Ｄ」ＬＥＤ５４Ａ、「Ｄ」配置ＬＥＤ５４Ｂ、「Ｐ」配置ＬＥＤ５０Ｃ、「Ｒ」配置ＬＥＤ５０Ｄ、「Ｎ」配置ＬＥＤ５２Ｂ、「Ｍ」ＬＥＤ５４Ｃ、「Ｍ」配置ＬＥＤ５４Ｄは、それぞれランプシェイド２８の「Ｐ」孔３２Ａ、「Ｒ」孔３２Ｂ、「Ｎ」孔３４Ａ、連絡孔３６Ｃ、「Ｄ」配置孔３６Ａ、「Ｐ」配置孔３２Ｃ、「Ｒ」配置孔３２Ｄ、「Ｎ」配置孔３４Ｂ、連絡孔３６Ｃ、「Ｍ」配置孔３６Ｂに挿入されて、それぞれインジケータ１８の「Ｐ」表示２２Ａ、「Ｒ」表示２２Ｂ、「Ｎ」表示２４Ａ、「Ｄ」表示２６Ａ、「Ｄ」配置表示２６Ｂ、「Ｐ」配置表示２２Ｃ、「Ｒ」配置表示２２Ｄ、「Ｎ」配置表示２４Ｂ、「Ｍ」表示２６Ｃ、「Ｍ」配置表示２６Ｄに向けられている。
【００４５】
フレキシブル基板４４の下突出板４４Ｂの下側には、長尺矩形フィルム状の接続基板５６が一体に設けられており、接続基板５６は、筐体１４の挿通孔１４Ｄに挿通されて、筐体１４の下側に延出されている。接続基板５６は、フレキシブル基板４４に電気的に接続されると共に、車両の制御装置５８に電気的に接続されており、制御装置５８には、上記検出装置１２が電気的に接続されている。
【００４６】
フレキシブル基板４４の「Ｐ」ＬＥＤ５０Ａ、「Ｒ」ＬＥＤ５０Ｂ、「Ｎ」ＬＥＤ５２Ａ、「Ｄ」ＬＥＤ５４Ａ、「Ｍ」ＬＥＤ５４Ｃは、制御装置５８の制御により発光して、インジケータ１８側に光を放射している。このため、「Ｐ」ＬＥＤ５０Ａ、「Ｒ」ＬＥＤ５０Ｂ、「Ｎ」ＬＥＤ５２Ａ、「Ｄ」ＬＥＤ５４Ａ、「Ｍ」ＬＥＤ５４Ｃが放射した光が、それぞれランプシェイド２８の「Ｐ」孔３２Ａ、「Ｒ」孔３２Ｂ、「Ｎ」孔３４Ａ、連絡孔３６Ｃ、連絡孔３６Ｃに案内されて、それぞれインジケータ１８の「Ｐ」表示２２Ａ、「Ｒ」表示２２Ｂ、「Ｎ」表示２４Ａ、「Ｄ」表示２６Ａ、「Ｍ」表示２６Ｃを照明表示している。
【００４７】
シフトレバー装置のシフトレバーが「Ｐ」位置、「Ｒ」位置、「Ｎ」位置、「Ｄ」位置、「Ｍ」位置に配置された際には、それぞれ、「Ｐ」配置ＬＥＤ５０Ｃ、「Ｒ」配置ＬＥＤ５０Ｄ、「Ｎ」配置ＬＥＤ５２Ｂ、「Ｄ」配置ＬＥＤ５４Ｂ、「Ｍ」配置ＬＥＤ５４Ｄが、制御装置５８の制御により発光して、インジケータ１８側に光を放射する。このため、「Ｐ」配置ＬＥＤ５０Ｃ、「Ｒ」配置ＬＥＤ５０Ｄ、「Ｎ」配置ＬＥＤ５２Ｂ、「Ｄ」配置ＬＥＤ５４Ｂ、「Ｍ」配置ＬＥＤ５４Ｄが放射した光が、それぞれランプシェイド２８の「Ｐ」配置孔３２Ｃ、「Ｒ」配置孔３２Ｄ、「Ｎ」配置孔３４Ｂ、「Ｄ」配置孔３６Ａ、「Ｍ」配置孔３６Ｂに案内されて、それぞれインジケータ１８の「Ｐ」配置表示２２Ｃ、「Ｒ」配置表示２２Ｄ、「Ｎ」配置表示２４Ｂ、「Ｄ」配置表示２６Ｂ、「Ｍ」配置表示２６Ｄを照明表示する。
【００４８】
また、「Ｐ」ＬＥＤ５０Ａ、「Ｒ」ＬＥＤ５０Ｂ、「Ｎ」ＬＥＤ５２Ａ、「Ｄ」ＬＥＤ５４Ａ、「Ｍ」ＬＥＤ５４Ｃ、「Ｐ」配置ＬＥＤ５０Ｃ、「Ｒ」配置ＬＥＤ５０Ｄ、「Ｎ」配置ＬＥＤ５２Ｂ、「Ｄ」配置ＬＥＤ５４Ｂ、「Ｍ」配置ＬＥＤ５４Ｄは、発光時の輝度が同一にされている。
【００４９】
次に、本実施形態の作用を説明する。
【００５０】
以上の構成のシフトノブ１０では、フレキシブル基板４４の上照明部４６Ａにおける上照明５０である「Ｐ」ＬＥＤ５０Ａ、「Ｒ」ＬＥＤ５０Ｂ、「Ｐ」配置ＬＥＤ５０Ｃ、「Ｒ」配置ＬＥＤ５０Ｄが、発光して、それぞれ、ランプシェイド２８の上案内部３０Ａにおける上孔３２である「Ｐ」孔３２Ａ、「Ｒ」孔３２Ｂ、「Ｐ」配置孔３２Ｃ、「Ｒ」配置孔３２Ｄを介して、インジケータ１８の表示面２０の上表示部２０Ａにおける上表示２２である「Ｐ」表示２２Ａ、「Ｒ」表示２２Ｂ、「Ｐ」配置表示２２Ｃ、「Ｒ」配置表示２２Ｄを照明表示する。
【００５１】
また、フレキシブル基板４４の中照明部４６Ｂにおける中照明５２である「Ｎ」ＬＥＤ５２Ａ、「Ｎ」配置ＬＥＤ５２Ｂが、発光して、それぞれ、ランプシェイド２８の中案内部３０Ｂにおける中孔３４である「Ｎ」孔３４Ａ、「Ｎ」配置孔３４Ｂを介して、インジケータ１８の表示面２０の中表示部２０Ｂにおける中表示２４である「Ｎ」表示２４Ａ、「Ｎ」配置表示２４Ｂを照明表示する。
【００５２】
さらに、フレキシブル基板４４の下照明部４６Ｃにおける下照明５４である「Ｄ」ＬＥＤ５４Ａ、「Ｄ」配置ＬＥＤ５４Ｂ、「Ｍ」ＬＥＤ５４Ｃ、「Ｍ」配置ＬＥＤ５４Ｄが、発光して、それぞれ、ランプシェイド２８の下案内部３０Ｃにおける下孔３６である連絡孔３６Ｃ、「Ｄ」配置孔３６Ａ、連絡孔３６Ｃ、「Ｍ」配置孔３６Ｂを介して、インジケータ１８の表示面２０の下表示部２０Ｃにおける下表示２６である「Ｄ」表示２６Ａ、「Ｄ」配置表示２６Ｂ、「Ｍ」表示２６Ｃ、「Ｍ」配置表示２６Ｄを照明表示する。
【００５３】
ところで、インジケータ１８の表示面２０では、中表示部２０Ｂが上表示部２０Ａに対し下側に曲がると共に、下表示部２０Ｃが中表示部２０Ｂに対し下側に曲がっている。
【００５４】
ここで、ランプシェイド２８では、中案内部３０Ｂが上案内部３０Ａに対し下側に曲がると共に、下案内部３０Ｃが中案内部３０Ｂに対し下側に曲がっている。さらに、フレキシブル基板４４が中照明部４６Ｂの上端部及び下端部において弾性変形されており、フレキシブル基板４４では、中照明部４６Ｂが上照明部４６Ａに対し下側に曲げられると共に、下照明部４６Ｃが中照明部４６Ｂに対し下側に曲げられている。
【００５５】
このため、上表示部２０Ａ（上表示２２）と上照明部４６Ａ（上照明５０）との間の距離と、中表示部２０Ｂ（中表示２４）と中照明部４６Ｂ（中照明５２）との間の距離と、下表示部２０Ｃ（下表示２６）と下照明部４６Ｃ（下照明５４）との間の距離と、が変動することを抑制でき、上照明５０の照明による上表示２２の輝度と、中照明５２の照明による中表示２４の輝度と、下照明５４の照明による下表示２６の輝度と、が変動することを抑制できる。これにより、例えば上表示２２、中表示２４及び下表示２６の少なくとも１つの輝度を調整するためのシートをインジケータ１８の裏側に設ける必要性を低くすることができると共に、上照明５０、中照明５２及び下照明５４の発光時の輝度を互いに相違させる必要性を低くすることができ、コストを低減できる。
【００５６】
さらに、インジケータ１８の上表示部２０Ａ、中表示部２０Ｂ及び下表示部２０Ｃとフレキシブル基板４４の上照明部４６Ａ、中照明部４６Ｂ及び下照明部４６Ｃとがそれぞれ略平行にされている。このため、上表示部２０Ａ（上表示２２）と上照明部４６Ａ（上照明５０）との間の距離と、中表示部２０Ｂ（中表示２４）と中照明部４６Ｂ（中照明５２）との間の距離と、下表示部２０Ｃ（下表示２６）と下照明部４６Ｃ（下照明５４）との間の距離と、が変動することを効果的に抑制でき、上照明５０の照明による上表示２２の輝度と、中照明５２の照明による中表示２４の輝度と、下照明５４の照明による下表示２６の輝度と、が変動することを効果的に抑制できる。
【００５７】
また、ランプシェイド２８の上係合柱３８及び下係合柱４０がそれぞれフレキシブル基板４４の上係合孔４４Ｄ及び下係合孔４４Ｅに挿入された際には、フレキシブル基板４４の中照明部４６Ｂの上端部及び下端部における弾性復元力（弾性力）により、上係合柱３８の下側面及び下係合柱４０の上側面にそれぞれ上係合孔４４Ｄの下側面及び下係合孔４４Ｅの上側面が当接されて、ランプシェイド２８にフレキシブル基板４４が保持される。このため、ランプシェイド２８にフレキシブル基板４４を保持させた状態で、筐体１４内にランプシェイド２８及びフレキシブル基板４４を組付けることができる。これにより、筐体１４内にランプシェイド２８及びフレキシブル基板４４を一度に組付けることができ、筐体１４内へのランプシェイド２８及びフレキシブル基板４４の組付工数を低減できる。しかも、ランプシェイド２８を介してフレキシブル基板４４を筐体１４内の奥側（開口とは反対側、前面側）に組付けることができて、フレキシブル基板４４を筐体１４内の奥側に直接組付ける必要をなくすことができ、筐体１４内にフレキシブル基板４４を容易に組付けることができる。
【００５８】
さらに、ランプシェイド２８にフレキシブル基板４４が保持される際には、上係合孔４４Ｄの周面が上係合柱３８の上リブ３８Ａを潰して上係合孔４４Ｄの上係合柱３８に対する左右方向への移動が規制されると共に、下係合孔４４Ｅの周面が下係合柱４０の各下リブ４０Ａを潰して下係合孔４４Ｅの下係合柱４０に対する左右方向への移動が規制される。さらに、ランプシェイド２８の一対の中係合柱４２間にフレキシブル基板４４の中突出板４４Ｃが挿入されることで、中突出板４４Ｃの周面が上側の中係合柱４２の中リブ４２Ａを潰して中突出板４４Ｃの上下方向への移動が規制される。このため、ランプシェイド２８に対しフレキシブル基板４４を上下方向及び左右方向において位置決めでき、ランプシェイド２８にフレキシブル基板４４を適切に保持させることができて、筐体１４内にランプシェイド２８及びフレキシブル基板４４を適切に組付けることができる。
【００５９】
また、フレキシブル基板４４では、上補強板４８Ａが上照明部４６Ａの弾性変形を制限し、中補強板４８Ｂが中照明部４６Ｂの弾性変形を制限し、下補強板４８Ｃが下照明部４６Ｃの弾性変形を制限している。このため、フレキシブル基板４４が中照明部４６Ｂの上端部及び下端部（上照明部４６Ａと中照明部４６Ｂとの間及び中照明部４６Ｂと下照明部４６Ｃとの間）において適切に弾性変形できる。これにより、筐体１４内にランプシェイド２８及びフレキシブル基板４４を組付ける際には、フレキシブル基板４４の弾性復元力により、ランプシェイド２８にフレキシブル基板４４を適切に保持させることができる。さらに、筐体１４内にランプシェイド２８及びフレキシブル基板４４を組付けた際には、上照明部４６Ａに対し中照明部４６Ｂを適切に曲げることができると共に、中照明部４６Ｂに対し下照明部４６Ｃを適切に曲げることができる。
【００６０】
なお、本実施形態では、フレキシブル基板４４の上照明部４６Ａ、中照明部４６Ｂ及び下照明部４６Ｃの弾性変形がそれぞれ上補強板４８Ａ、中補強板４８Ｂ及び下補強板４８Ｃにより制限される。しかしながら、例えば、フレキシブル基板４４の上照明部４６Ａ、中照明部４６Ｂ（上端部及び下端部を除く）及び下照明部４６Ｃが剛性を有するリジッド基板にされて、上照明部４６Ａと中照明部４６Ｂとの間及び中照明部４６Ｂと下照明部４６Ｃとの間が弾性を有する配線（例えば所謂ＦＦＣ（Flexible Flat Cable））により電気的に接続されてもよい。
【００６１】
また、本実施形態では、ランプシェイド２８において、上案内部３０Ａの裏面に対し中案内部３０Ｂの裏面が屈曲すると共に、中案内部３０Ｂの裏面に対し下案内部３０Ｃの裏面が屈曲し、かつ、フレキシブル基板４４において、上照明部４６Ａに対し中照明部４６Ｂが屈曲すると共に、中照明部４６Ｂに対し下照明部４６Ｃが屈曲する。しかしながら、特にインジケータ１８の表示面２０（上表示部２０Ａ、中表示部２０Ｂ及び下表示部２０Ｃ）に沿って、ランプシェイド２８の上案内部３０Ａ、中案内部３０Ｂ及び下案内部３０Ｃの裏面が湾曲すると共に、フレキシブル基板４４の上照明部４６Ａ、中照明部４６Ｂ及び下照明部４６Ｃが湾曲してもよい。この場合、特にインジケータ１８の表示面２０（上表示部２０Ａ、中表示部２０Ｂ及び下表示部２０Ｃ）に沿って、筐体１４の支持台１６の支持面（上支持面１６Ａ、中支持面１６Ｂ及び下支持面１６Ｃ）が湾曲してもよい。
【００６２】
さらに、本実施形態では、インジケータ１８の表示面２０（上表示部２０Ａ、中表示部２０Ｂ及び下表示部２０Ｃ）が湾曲すると共に、ランプシェイド２８の上案内部３０Ａ、中案内部３０Ｂ及び下案内部３０Ｃの表面が湾曲する。しかしながら、インジケータ１８の表示面２０において、上表示部２０Ａに対し中表示部２０Ｂが屈曲すると共に、中表示部２０Ｂに対し下表示部２０Ｃが屈曲してもよく、ランプシェイド２８において、上案内部３０Ａの表面が中案内部３０Ｂの表面に対し屈曲すると共に、中案内部３０Ｂの表面が下案内部３０Ｃの表面に対し屈曲してもよい。
【００６３】
また、本実施形態では、表示部（上表示部２０Ａ、中表示部２０Ｂ、下表示部２０Ｃ）、案内部（上案内部３０Ａ、中案内部３０Ｂ、下案内部３０Ｃ）、照明部（上照明部４６Ａ、中照明部４６Ｂ、下照明部４６Ｃ）及び支持面（上支持面１６Ａ、中支持面１６Ｂ及び下支持面１６Ｃ）がそれぞれ３個設けられる。しかしながら、表示部、案内部、照明部及び支持面がそれぞれ２個又は４個以上設けられてもよい。
【００６４】
さらに、本実施形態では、車両用表示装置をシフトノブ１０に適用した。車両用表示装置を車両のシフトノブ１０以外の部分に適用してもよい。
【符号の説明】
【００６５】
１０・・・シフトノブ（車両用表示装置）、１８・・・インジケータ（表示体）、２０・・・表示面、２０Ａ・・・上表示部（第１表示部又は第２表示部）、２０Ｂ・・・中表示部（第１表示部又は第２表示部）、２０Ｃ・・・下表示部（第１表示部又は第２表示部）、２８・・・ランプシェイド（案内体）、３０Ａ・・・上案内部（第１案内部又は第２案内部）、３０Ｂ・・・中案内部（第１案内部又は第２案内部）、３０Ｃ・・・下案内部（第１案内部又は第２案内部）、４４・・・フレキシブル基板（照明体）、４６Ａ・・・上照明部（第１照明部又は第２照明部）、４６Ｂ・・・中照明部（第１照明部又は第２照明部）、４６Ｃ・・・下照明部（第１照明部又は第２照明部）、４８Ａ・・・上補強板（制限部）、４８Ｂ・・・中補強板（制限部）、４８Ｃ・・・下補強板（制限部）
【図１】
2020147149.tif 000003
【図２】
2020147149.tif 000004
【図３】
2020147149.tif 000005
【図４】
2020147149.tif 000006